(57)【要約】【課題】構造が簡単で、手動、自動どちらでも使用することができるとともに、多段に折り畳んだ場合に体積が小さく収納に便利な傘を提供する。【解決手段】上ろくろと、下ろくろなどとを含んでなり、上ろくろと下ろくろは対向する両側面が平らな薄い楕円状に形成し、上ろくろの長手方向に垂直な弧状を呈する両側面には複数の内親骨が回動自在に設けられ、上ろくろの両側に接続された内親骨の内、中間に設けられた内親骨は上ろくろに接続する端縁部が湾曲して上方に突出して形成され、内親骨に対応して回動自在に接続される内受骨は下ろくろに回動自在に接続する端縁部が湾曲して下方に突出して形成され、傘を折り畳む場合に上ろくろの両側のそれぞれ中間に設けられた内親骨及び内受骨を中棒に向けて折り畳む時の半径方向の高さが他の内親骨及び内受骨を折り畳む時の半径方向の高さよりも高くなる構造を具えてなる。【選択図】図１
0003117770.tif 000002
【実用新案登録請求の範囲】
【請求項１】
上ろくろと、下ろくろ、などとを含んでなり、該上ろくろと下ろくろは対向する両側面が平らな薄い楕円状を呈して形成され、該上ろくろの長手方向に垂直な弧状を呈する両側面には左右対称に複数の内親骨が回動自在に設けられ、上ろくろの両側に接続された内親骨の内、中間に設けられた内親骨は上ろくろに接続する端縁部が湾曲して上方に突出して形成され、内親骨に対応して回動自在に接続される内受骨は下ろくろに回動自在に接続する端縁部が湾曲して下方に突出して形成され、傘を折り畳む場合には、上ろくろの両側のそれぞれ中間に設けられた内親骨及び内受骨を中棒に向けて折り畳む時の半径方向の高さが他の内親骨及び内受骨を折り畳む時の半径方向の高さよりも高くなる構造を具えてなることを特徴とする折り畳み傘。
【請求項２】
前記内親骨と上ろくろが接続する端縁部、及び内受骨と下ろくろが接続する端縁部はＵ字状、パイプ状、楕円状、棒状に形成してもよいことを特徴とする請求項１に記載する折り畳み傘。
【請求項３】
上ろくろと、下ろくろ、などとを含んでなり、該上ろくろと下ろくろは対向する両側面が平らな薄い楕円状を呈して形成され、該上ろくろの長手方向に垂直な弧状を呈する両側面には左右対称に複数の内親骨が回動自在に設けられ、上ろくろの両側に接続された内親骨の内、中間に設けられた内親骨は上ろくろに接続する端縁部に７字状を呈する接続部を設けてなり、該接続部は略中間が折り曲げられて湾曲に突出して形成され、内端に上ろくろのワイヤを接続するために供する貫通孔が設けられ、該内親骨に対応して回動自在に設けられる内受骨が下ろくろに接続する端縁部にも７字状を呈する接続部を設けてなり、該接続部は略中間が折り曲げられて湾曲に突出して形成され、内端に下ろくろのワイヤを接続するために供する貫通孔が設けられ、傘を折り畳む場合には、上ろくろの両側のそれぞれ中間に設けられた内親骨と内受骨を折り畳む時の半径方向の高さが、他の内親骨及び内受骨を折り畳む時の半径方向の高さよりも高くなる構造を具えてなる折り畳み傘。
【請求項４】
前記上ろくろは、接続溝の上方には外側に延伸した凸部が設けられ、且つ上ろくろの下方に延伸した部分の両側には接続部が折り畳まれる位置に対応する突出した支持部が設けられることを特徴とする請求項３に記載する折り畳み傘。
【請求項５】
前記下とくろは、接続溝の下方に外側に延伸した凸部が設けられ、且つ下ろくろの上方に延伸する部分の両側には接続部が折り畳まれる位置に対応する突出した支持部が設けられることを特徴とする請求項３に記載する折り畳み傘。
【考案の詳細な説明】
【技術分野】
【０００１】
この考案は、折り畳み傘に関し、特に雨よけや日よけに使用し、収納時に折り畳むことができる折り畳み傘に関する。
【背景技術】
【０００２】
傘は日差しや雨を避ける日常の生活用品として使用されているため、軽量で実用的なものが好まれている。特に、折り畳み傘は折り畳んで収納することができ、携帯に便利であるため、利用者が多い。
【０００３】
折り畳み傘は折り畳んで傘の体積を縮小することができ、収納に便利であるけれども、傘の骨を折り畳む場合、それぞれの傘骨を内から外へ順に折り畳み中棒を中心としてその周りに集まるようにする。
【０００４】
但し、この場合、折り畳んだ傘骨同志が緊密に接触しないため、傘を折り畳んだ状態において体積が大きくなる。特に折り畳む回数の多い多段に折り畳む傘は、収納後の傘が直径のサイズが大きい円柱状を呈する。よって、外出時に携帯するバッグや旅行用のバッグなどに収納する場合に不便である。このため、薄い偏平状の折り畳み傘が開発された。
【０００５】
市場で販売されている薄い偏平状の折り畳み傘は、その上ろくろと下ろくろが薄い偏平状を呈するように形成され、傘骨が上、下ろくろに対して左右対称に設けられる。該折り畳み傘は収納時に偏平状を呈するため、傘の体積を縮小する効果がある。
【０００６】
しかしながら、従来の収納時に偏平状を呈する折り畳み傘は構造が限られ、製造コストが高く、折り畳んだ時に傘骨が交差して円筒状を呈し、偏平状に折り畳むことができない。
【考案の開示】
【考案が解決しようとする課題】
【０００７】
この考案は、構造が簡単で、手動、自動どちらでも使用することができるとともに、多段に折り畳んだ場合に体積が小さく収納に便利な傘を提供することを課題とする。
【課題を解決するための手段】
【０００８】
そこで、本考案者は従来の技術に見られる欠点に鑑みて鋭意研究を重ねた結果、上ろくろと、下ろくろ、などとを含んでなり、該上ろくろと下ろくろは対向する両側面が平らな薄い楕円状を呈して形成され、該上ろくろの長手方向に垂直な弧状を呈する両側面には左右対称に複数の内親骨が回動自在に設けられ、上ろくろの両側に接続された内親骨の内、中間に設けられた内親骨は上ろくろに接続する端縁部が湾曲して上方に突出して形成され、内親骨に対応して回動自在に接続される内受骨は下ろくろに回動自在に接続する端縁部が湾曲して下方に突出して形成され、傘を折り畳む場合には、上ろくろの両側のそれぞれ中間に設けられた内親骨及び内受骨を中棒に向けて折り畳む時の半径方向の高さが他の内親骨及び内受骨を折り畳む時の半径方向の高さよりも高くなる構造を
具えてなる折り畳み傘によって本考案の課題を解決できる点に着眼し、かかる知見に基づいて本考案を完成させた。
以下、この考案について具体的に説明する。
【０００９】
請求項１に記載する折り畳み傘は、上ろくろと、下ろくろ、などとを含んでなり、該上ろくろと下ろくろは対向する両側面が平らな薄い楕円状を呈して形成され、該上ろくろの長手方向に垂直な弧状を呈する両側面には左右対称に複数の内親骨が回動自在に設けられ、上ろくろの両側に接続された内親骨の内、中間に設けられた内親骨は上ろくろに接続する端縁部が湾曲して上方に突出して形成され、内親骨に対応して回動自在に接続される内受骨は下ろくろに回動自在に接続する端縁部が湾曲して下方に突出して形成され、傘を折り畳む場合には、上ろくろの両側のそれぞれ中間に設けられた内親骨及び内受骨を中棒に向けて折り畳む時の半径方向の高さが他の内親骨及び内受骨を折り畳む時の半径方向の高さよりも高くなる構造を具えてなる。
【００１０】
請求項２に記載する折り畳み傘は、請求項１における内親骨と上ろくろが接続する端縁部、及び内受骨と下ろくろが接続する端縁部がＵ字状、パイプ状、楕円状、棒状に形成してもよい。
【００１１】
請求項３に記載する折り畳み傘は、上ろくろと、下ろくろ、などとを含んでなり、該上ろくろと下ろくろは対向する両側面が平らな薄い楕円状を呈して形成され、該上ろくろの長手方向に垂直な弧状を呈する両側面には左右対称に複数の内親骨が回動自在に設けられ、上ろくろの両側に接続された内親骨の内、中間に設けられた内親骨は上ろくろに接続する端縁部に７字状を呈する接続部を設けてなり、該接続部は略中間が折り曲げられて湾曲に突出して形成され、内端に上ろくろのワイヤを接続するために供する貫通孔が設けられ、該内親骨に対応して回動自在に設けられる内受骨が下ろくろに接続する端縁部にも７字状を呈する接続部を設けてなり、該接続部は略中間が折り曲げられて湾曲に突出して形成され、内端に下ろくろのワイヤを接続するために供する貫通孔が設けられ、傘を折り畳む場合には、上ろくろの両側のそれぞれ中間に設けられた内親骨と内受骨を折り畳む時の半径方向の高さが、他の内親骨及び内受骨を折り畳む時の半径方向の高さよりも高くなる構造を具えてなる。
【００１２】
請求項４に記載する折り畳み傘は、請求項３における上ろくろが、接続溝の上方には外側に延伸した凸部が設けられ、且つ上ろくろの下方に延伸した部分の両側には接続部が折り畳まれる位置に対応する突出した支持部が設けられる。
【００１３】
請求項５に記載する折り畳み傘は、請求項３における下ろくろが、接続溝の下方に外側に延伸した凸部が設けられ、且つ下ろくろの上方に延伸する部分の両側には接続部が折り畳まれる位置に対応する突出した支持部が設けられる。
【考案の効果】
【００１４】
この考案の折り畳み傘は、折り畳む時に傘骨同志が緊密に接触するため、折り畳み時の傘の体積が小さく楕円状を呈するため、収納及び携帯に便利であるとともに、上ろくろと下ろくろの構造により傘の開閉が安定し、加工が簡単なため、製造コストを抑えることができ、手動、自動どちらにも応用でき、多様な傘を提供する効果を有する。
【考案を実施するための最良の形態】
【００１５】
この考案は、雨よけや日よけに使用し、収納時に折り畳むことができる折り畳み傘であって、上ろくろと、下ろくろ、などとを含んでなり、該上ろくろと下ろくろは対向する両側面が平らな薄い楕円状を呈して形成され、該上ろくろの長手方向に垂直な弧状を呈する両側面には左右対称に複数の内親骨が回動自在に設けられ、上ろくろの両側に接続された内親骨の内、中間に設けられた内親骨は上ろくろに接続する端縁部が湾曲して上方に突出して形成され、内親骨に対応して回動自在に接続される内受骨は下ろくろに回動自在に接続する端縁部が湾曲して下方に突出して形成され、傘を折り畳む場合には、上ろくろの両側のそれぞれ中間に設けられた内親骨及び内受骨を中棒に向けて折り畳む時の半径方向の高さが他の内親骨及び内受骨を折り畳む時の半径方向の高さよりも高くなる構造を具えてなり、折り畳む時に傘骨同志が緊密に接触するため、折り畳み時の傘の体積が小さく楕円状を呈するため、収納及び携帯に便利であるという目的を、実現した。
係る構成の折り畳み傘について、その構造と特徴を詳述するために具体的な実施例を挙げ、以下に説明する。
【実施例１】
【００１６】
図１から６に開示するように、この考案は、上ろくろ１と、下ろくろ２などを含んでなり、該上ろくろ１と下ろくろ２は対向する両側面が平らな薄い楕円状を呈するように形成される。該上ろくろ１は中棒３の上端に固定して設けられ、該下ろくろ２は中棒３上に滑動自在に設けられ、下ろくろ２が中棒３に沿って上下に移動すると傘が開閉する。
【００１７】
該上ろくろ１は長手方向に垂直な対向する両側面が弧状を呈して形成され、該両側面には左右対称に複数の内親骨４が回動自在に接続される。該内親骨４の外端には他の対応する傘骨を接続する。上ろくろ１の両側に接続された内親骨４の内、中間に設けられた内親骨４ａは上ろくろ１に接続する端縁部が湾曲して上方に突出するように形成され、該内親骨４ａに対応して回動自在に接続される内受骨５ａは、下ろくろ２に回動自在に接続する端縁部が湾曲して下方に突出するように形成される。
【００１８】
傘骨を折り畳む場合には、上ろくろ１の両側のそれぞれ中間に設けられた内親骨４ａと内受骨５ａを中棒３に向かって折り畳む時の半径方向の高さが他の内親骨４ｂ及び内受骨５ｂを折り畳む時の半径方向の高さよりも高くなる。
【００１９】
該内親骨４及び内受骨５は図７に開示するように、折り畳んだ時にＵ字状を呈する。また、棒状に形成した該内親骨４及び内受骨５は、折り畳んだ時に傘の体積を縮小できるように、内親骨４と上ろくろ１が接続する接続部及び内受骨５と下ろくろ２が接続する接続部を必要に応じてＵ字状、パイプ状、楕円状、棒状に形成してもよい。
【００２０】
図２に開示するように、傘を開く場合、上ろくろ１が薄い楕円状に形成されているため、それぞれの内親骨４が外側に向けて扇状に分散して広がる。上ろくろ１の両側にそれぞれ中間に設けられた内親骨４ａは、上ろくろ１との接続部が上方に突出して形成されているため折り畳んだ時の頂点がわずかに高くなるが、傘の形状には影響を与えない。
【００２１】
傘を折り畳む場合には、図３に開示するように、それぞれの傘骨を中棒３の周りに集まるように内から外へ交互に折り畳むと、上ろくろ１の両側にそれぞれ中間に設けられた内親骨４ａの折り畳み時の半径方向の高さが、他の内親骨４ｂよりも高くなるとともに、該内親骨４ａに対応する内受骨５ａも折り畳み時の半径方向の高さが他の内受骨５ｂよりも高くなり、凸字状の階層を呈する。よって、その他の傘骨が位置決めされ、異なる階層面上に集められるため、傘骨が交差して折り畳まれることがなく、傘骨同志が緊密に接触して、折り畳み時の体積が小さく、薄い楕円状を呈するため、収納、携帯に便利である。女性のバッグは男性に比べて小さいが、この考案は従来のものより体積を小さくして折り畳むことができるため、特に女性がバッグに入れて携帯するために便利である。
【００２２】
図８から１４に開示するように、前述では内親骨４ａ及び内受骨５ａは上、下ろくろ１、２に接続する端縁部が湾曲して上方もしくは下方に突出するように形成された端縁部に接続部を形成してもよい。即ち、対応する内親骨４ａと上ろくろ１の接続する端縁部に７字状を呈する接続部４１を形成する。該接続部４１は一端が内親骨４ａの上端に固定接続し、他端縁部には上ろくろ１のワイヤ１１を設けるために供する楕円形の貫通孔４１１を形成する。７字状の接続部４１の折り曲げられた部分は、前述の湾曲して上方に突出した構造と同様の効果を有し、上ろくろ１の接続溝１２の上方には外側に延伸した凸部１３が設けられ、上ろくろ１の下方に延伸した部分の両側には、接続部４１が折り畳まれる位置に対応して突出した支持部１４が設けられるため、折り畳み時に接続部４１が中棒３に接触することがない。
【００２３】
また、内受骨５ａと下ろくろ２が接続する端縁部にも７字状を呈する接続部５１が設けられる。該接続部５１の下端には下ろくろ２のワイヤ２１を設けるために供する楕円形の貫通孔５１１が設けられ、７字状の接続部５１の折り曲げられた部分が、前述の湾曲して突出した部分と同様の効果を有する。下ろくろ２の接続溝２２の下方には外側に延伸した凸部２３が設けられ、且つ下ろくろ２の上方に延伸する部分の両側には、接続部５１が折り畳まれる位置に対応して突出した支持部２４が設けられているため、折り畳み時に接続部５１が中棒３に接触することがない。この構造は前述の構造と同様に傘骨を薄い楕円状に折り畳む効果を有するため、折り畳んだ傘の体積が小さくなり、収納、携帯に便利である。
【００２４】
上述の通り、該接続部４１、５１の形状は接続する内親骨４ａ及び内受骨５ａの形状に基づいて、楕円形、円形などに形成する。上ろくろ１の凸部１３は傘を開く時、接続部４１の上端を当止及び当接する作用を有し、接続部４１上の貫通孔４１１は傘を開閉する場合に接続部４１に対応する上ろくろ１のワイヤ１１が移動する空間を提供するため、傘をスムーズに開閉することができる。同様に、下ろくろ２の凸部２３及び接続部５１の貫通孔５１１も同様の効果を有する。
【００２５】
図１６、１７に、２箇所で折り畳む手動の折り畳み傘を開示する。内親骨４は外端が内受骨５の中間に回動自在に接続し、内受骨５は外端に外親骨を回動自在に接続する。傘を折り畳む場合には、内受骨５の外端を上方に折り畳むと、内受骨５の外端が内親骨４の上ろくろ１に接続する湾曲して上方に突出した内端に接触し、外親骨の外端が内受骨５の下ろくろ２に接続する湾曲して下方に突出した内端に接触するように折り畳まれるため、傘骨同志が緊密に接触して体積が小さくなり、薄い楕円状を呈する。
【００２６】
図１８、１９に、４箇所で折り畳む手動の折り畳み傘を開示する。内親骨４の外端は内受骨５の中間に回動自在に接続し、内受骨５の外端は前中親骨に接続し、該前中親骨の外端が後中親骨に接続し、該後中親骨の外端が外親骨に接続するという順で傘骨が接続して設けられる。傘を折り畳む場合には、内受骨５の外端を上方に折り畳むと、内受骨５の外端が内親骨４の上ろくろ１に接続する湾曲して上方に突出した内端に接触し、前中親骨の外端を折り畳むと、前中親骨の外端が内受骨５の下ろくろ２に接続する湾曲して下方に突出した内端に接触し、後中親骨を折り畳むと、後中親骨が前中親骨の外側に接触し、外親骨を折り畳むと、外親骨が後中親骨の外側に接触し、内から外へ順に折り畳んでいくと、上ろくろ１の両側にそれぞれ設けられた内親骨４の内、中間に設けられた内親骨４ａと上ろくろ１が接続する端縁部が湾曲して突出し、内親骨４ａに対応して設けられる内受骨５ａが下ろくろ２に接続する端縁部も湾曲して突出するため、傘骨を折り畳むと凸字状の階層が形成される。よって、傘骨同志が交差して折り畳まれることがなく、傘骨同志が緊密に接触するため、傘の体積が小さくなり、薄い楕円状を呈する。
【００２７】
図２０、２１に、この考案を多くの箇所で折り畳む自動の折り畳み傘に応用した場合の実施例を開示する。図２２、２３に、多くの箇所で折り畳む自動の折り畳み傘に応用した場合の他の実施例を開示する。上ろくろ１は両側にそれぞれ内親骨４を設け、該内親骨４の内、中間に設けられた内親骨４ａと上ろくろ１が接続する端縁部は湾曲して上方に突出して形成され、且つ内親骨４ａに対応して回動自在に接続される内受骨５ａが下ろくろ２に接続する端縁部も湾曲して下方に突出して形成されるため、傘骨を折り畳むと凸字状の階層を呈し、他の傘骨が異なる階層上に折り畳まれて、傘骨同志が交差することがなく、緊密に接触するため、傘の体積が小さくなり、薄い楕円状を呈する。
【００２８】
この考案は構造が簡単で、簡単な加工などを容易に行うことができるため、コストを低く抑えることができる。上ろくろ１の長手方向に垂直な弧状に形成された端縁部には６本もしくは８本の内親骨４を接続することができる。図１５では、一端縁部に４本の内親骨４を設け、両側で計８本の内親骨４を設ける。両側に４本ずつ接続された内親骨４ａの内、中間に設けられた２本の内親骨４は上ろくろ１に接続する端縁部が湾曲して上方に突出して形成されるため、傘を折り畳んだ時に傘が薄い楕円状を呈するため、体積が小さくなり、収納、携帯に便利である。
【００２９】
図２４に、この考案の中棒３は、薄く楕円状の中棒６を使用してもよい。上ろくろ１は中棒６の上端に固定され、下ろくろ２は中棒６上に滑動自在に接続され、下ろくろ２が中棒６に沿って上下に移動すると、傘が開閉する。該中棒６は３段、４段、５段、もしくはそれ以上の段を設けて折り畳み時に縮小できるように形成することができる。図２５、２６に開示するように、中棒６を４段に形成する場合、それぞれ内管６１、中管６２、外管６３、第１大管６４に形成される。該内管６１、中管６２、外管６３、第１大管６４の断面は、対向する両側面が平らな楕円状に形成され、内管６１は中管６２の上に設けられ、該中管６２は外管６３の上に設けられ、該外管６３は第１大管６４の上に設けられる。該４段の管体の断面の直径は、上方から下方に従って大きくなる。即ち、内管６１、中管６２、外管６３、第１大管６４と下方になるに従って管体断面の直径が大きくなる。また、該中棒６を収納すると、第１大管６４が最も外側に設けられ、該第１大管６４の内側に外管６３、該外管６３の内側に中管６２、該中管６２の内側に内管６１が位置するように収納される。
【００３０】
図２７に開示するように、該中棒６を３段に形成する場合には、内管６１、中管６２、外管６３に形成され、中棒６を５段に形成する場合には図２８に開示するように、内管６１、中管６２、外管６３、第１大管６４、小管６５に形成され、中棒を６段に形成する場合には図２９に開示するように、内管６１、中管６２、外管６３、第１大管６４、小管６５、第２大管６６に形成され、中棒を７段に形成する場合には図３０に開示するように、内管６１、中管６２、外管６３、第１大管６４、小管６５、第２大管６６、第３大管６７に形成される。上述の中棒６は3段、５段、６段、７段など、どのように形成されても、それぞれの管体の断面は両側面が平らな薄い楕円状に形成され、中棒６を収納する場合にはそれぞれの管体が密接に接触するため、傘の体積が小さくなり、薄い楕円状を呈する。
【００３１】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案請求の範囲に属するものとする。
【図面の簡単な説明】
【００３２】
【図１】この考案の折り畳み傘の構造を示した斜視図である。
【図２】図１に開示する折り畳み傘を開いた場合を示した斜視図である。
【図３】図１に開示する折り畳み傘を折り畳んだ場合を示した斜視図である。
【図４】図１に開示する折り畳み傘をＡ−Ａ線に沿って切り取った場合の断面図である。
【図５】図１に開示する折り畳み傘をＢ−Ｂ線に沿って切り取った場合の断面図である。
【図６】図１に開示する折り畳み傘の内親骨と内受骨が上、下ろくろに接続する部分を示した説明図である。
【図７】この考案の折り畳み傘を棒状に形成した状態を示した斜視図である。
【図８】この考案の折り畳み傘の上ろくろと下ろくろの接続部分を示した側面図である。
【図９】図８に開示する折り畳み傘の上ろくろと下ろくろの接続部分を開いた状態を示した側面図である。
【図１０】この考案の７字状の接続部とＵ字状に形成した内親骨もしくは内受骨を示した説明図である。
【図１１】この考案の７字状の接続部とパイプ状に形成した内親骨もしくは内受骨を示した説明図である。
【図１２】図８に開示する折り畳み傘の構造を示した斜視図である。
【図１３】図１２に開示する折り畳み傘を開いた状態を示した斜視図である。
【図１４】図１２に開示する折り畳み傘を折り畳んだ状態を示した斜視図である。
【図１５】この考案の折り畳み傘の上ろくろと下ろくろに８組の傘骨を設けた状態を示した斜視図である。
【図１６】この考案の折り畳み傘を２箇所で折り畳む傘に応用した場合の片側の状態を示した側面図である。
【図１７】図１６に開示する折り畳み傘を折り畳んだ状態を示した側面図である。
【図１８】この考案の折り畳み傘を４箇所で折り畳む傘に応用した場合を示した斜視図である。
【図１９】図１８に開示する折り畳み傘を折り畳んだ状態を示した斜視図である。
【図２０】この考案の折り畳み傘を多くの箇所で折り畳む傘に応用した場合の片側の状態を示した側面図である。
【図２１】図２０に開示する折り畳み傘を折り畳んだ状態を示した側面図である。
【図２２】この考案の折り畳み傘を他の多くの箇所で折り畳む自動の折り畳み傘に応用した場合の片側の状態を示した側面図である。
【図２３】図２２に開示する折り畳み傘を折り畳んだ状態の片側部分を示した側面図である。
【図２４】この考案の折り畳み傘に楕円形の中棒を使用した状態を示した斜視図である。
【図２５】この考案の折り畳み傘の中棒を４段に形成した状態を示した斜視図である。
【図２６】図２５に開示した中棒の平面図である。
【図２７】この考案の折り畳み傘の中棒を３段に形成した状態を示した斜視図である。
【図２８】この考案の折り畳み傘の中棒を５段に形成した状態を示した斜視図である。
【図２９】この考案の折り畳み傘の中棒を６段に形成した状態を示した斜視図である。
【図３０】この考案の折り畳み傘の中棒を７段に形成した状態を示した斜視図である。
【符号の説明】
【００３３】
１      上ろくろ
１１    ワイヤ
１２    接続溝
１３    凸部
１４    支持部
２      下ろくろ
２１    ワイヤ
２２    接続溝
２３    凸部
２４    支持部
３      中棒
４      内親骨
４ａ    内親骨
４ｂ    内親骨
４１    接続部
４１１  貫通孔
５      内受骨
５ａ    内受骨
５ｂ    内受骨
５１    接続部
５１１  貫通孔
６      中棒
６１    内管
６２    中管
６３    外管
６４    第１大管
６５    小管
６６    第２大管
６７    第３大管
【図１】
0003117770.tif 000003
【図２】
0003117770.tif 000004
【図３】
0003117770.tif 000005
【図４】
0003117770.tif 000006
【図５】
0003117770.tif 000007
【図６】
0003117770.tif 000008
【図７】
0003117770.tif 000009
【図８】
0003117770.tif 000010
【図９】
0003117770.tif 000011
【図１０】
0003117770.tif 000012
【図１１】
0003117770.tif 000013
【図１２】
0003117770.tif 000014
【図１３】
0003117770.tif 000015
【図１４】
0003117770.tif 000016
【図１５】
0003117770.tif 000017
【図１６】
0003117770.tif 000018
【図１７】
0003117770.tif 000019
【図１８】
0003117770.tif 000020
【図１９】
0003117770.tif 000021
【図２０】
0003117770.tif 000022
【図２１】
0003117770.tif 000023
【図２２】
0003117770.tif 000024
【図２３】
0003117770.tif 000025
【図２４】
0003117770.tif 000026
【図２５】
0003117770.tif 000027
【図２６】
0003117770.tif 000028
【図２７】
0003117770.tif 000029
【図２８】
0003117770.tif 000030
【図２９】
0003117770.tif 000031
【図３０】
0003117770.tif 000032